(57)【特許請求の範囲】
【請求項１】
給紙台に積載した用紙束から用紙を１枚ずつ取り出す給紙部を複数有し、各々の給紙部から取り出された用紙を搬送しながら互いに重ねてセットとする丁合装置であって、
下記（イ）〜（ニ）の各手段を具備することを特徴とする丁合装置。
（イ）作成する丁合束数がそれぞれ個別に設定可能な複数の作業グループの各々について、作成する丁合束数、複数の作業グループ間における処理順序を記憶する記憶部
（ロ）装置スタート信号受信とともに、設定された作業グループのうち、いずれか１つの作業グループから作業を開始し、該作業グループに設定された部数の丁合作業が終了すると、いったん装置を停止させ、その後装置スタート信号を再度受信することにより、別の作業グループの丁合作業を開始する処理を、設定された処理順序に従って進行させるようにする制御部
（ハ）表示器に並べて表示された複数の作業グループそれぞれの表示領域に含まれる所定領域を順次押下することにより、その押下順序が処理順序として設定される順序設定手段
（ニ）順序付けが全作業グループについてなされているか、一部の作業グループについてだけかにかかわらず一旦順序付けした作業グループのいずれかを指定し、任意の新たな順序を入力することによって、この指定した作業グループの順序を、入力した新たな順序に変更するとともに、入力した新たな順序が、既に他の作業グループに設定されていた順序と重複する場合は、既に設定されていた順序のうち、重複した順序を含めた一部の順序を変更して重複を避ける順序変更手段
【請求項２】
前記順序変更手段は、入力した新たな順序が、変更前の順序よりも早い順序であった場合には、既に他の作業グループに設定されていた順序のうち、入力した新たな順序と重複した順序と、入力した新たな順序よりも遅く、かつ変更前の順序よりも早い順序に設定されていた作業グループの順序を、繰り下げることを特徴とする請求項１記載の丁合装置。
【請求項３】
前記順序変更手段は、入力した新たな順序が、変更前の順序よりも遅い順序であった場合には、既に他の作業グループに設定されていた順序のうち、入力した新たな順序と重複した順序と、入力した新たな順序よりも遅い順序に設定されていた作業グループの順序を、繰り下げることを特徴とする請求項１または２記載の丁合装置。 
【請求項４】
前記順序設定手段により既に順序を設定済みの作業グループの少なくとも１つにおいて、前記順序変更手段により新たな順序に変更し、その新たな順序が、既に他の作業グループに設定されていた順序と重複しない場合には、変更後にさらに前記順序設定手段により、順序が未設定の作業グループそれぞれの所定領域を順次押下したとき、前記順序変更手段により設定した新たな順序を除いて、その押下順に処理順序が設定されることを特徴とする請求項１ないし３いずれか１項に記載の丁合装置。 
【請求項５】
表示器の作業グループごとの所定領域に、順序が設定されている表示と順序未設定の表示がある場合に、前記順序変更手段は、既に順序が設定されている作業グループの前記所定領域を押下することにより、変更を行う作業グループが設定されることを特徴とする請求項 １ないし４いずれか１項 に記載の用紙処理装置。
【請求項６】
前記順序設定手段は、押下するごとにその所定領域に順序を示す順序表示が数字でなされるとともに、押下するごとに未表示の数字のうちの最も若い数字から順次表示されることを特徴とする請求項１ないし５のいずれか１項に記載の用紙処理装置。
【発明の詳細な説明】
【技術分野】
【０００１】
本発明は、給紙部に積載された用紙束から送給された用紙に対し、丁合、綴じ、製本、折り等の各種の処理を予め定めた作業グループ毎に行って行く用紙処理装置の技術分野に属する。
【背景技術】
【０００２】
種類別に束になって納品される新聞広告を、複数設けられた給紙部に積載し、それぞれの給紙部から１枚ずつ取り出して搬送しながら重ね合わせ、各戸別の広告の束とする新聞広告丁合機が新聞販売店で使われている。
新聞販売店では、担当する地域を複数の地区に分け、配布が必要な部数を地区ごとに分けて管理している場合、その地区ごとに丁合作業を分けて行うことがある。地区ごとに配布する広告が異なる場合があるからである。
このため、複数の地区と、その地区ごとの部数（地区部数）を入力して記憶させ、その地区部数分の丁合が完了すると、一旦停止する丁合装置が公知である（例えば、特許文献１参照）。
【０００３】
例えばＡ地区に対し３００部、Ｂ地区に対し２００部の広告が必要な場合、ユーザは地区Ａ、Ｂと部数３００、２００を丁合機に入力して記憶させる。丁合装置をスタートさせると、Ａ地区の丁合が開始され、処理部数をカウントして３００に達したら丁合機は停止する。ユーザは再びスタートボタンを押すと、Ｂ地区の丁合が開始され、処理部数をカウントして２００に達したら丁合機は停止する。ユーザは必要に応じ、地区の変わり目で丁合機が止まっている間に配布不要な広告を給紙部から抜き取り、配布すべき広告を給紙部に積載する。
【０００４】
特許文献１の装置では、処理する順序を地区ごとに入力することができ、入力した順序は操作パネルの「順番」欄に表示される。入力は、ユーザが順番欄のいずれかにタッチすると、タッチされた順番欄を入力可能状態とする。この状態でテンキーにタッチすることによって、入力可能状態となっている順番欄に順番が入力され、これを表示する。丁合装置は入力された順番に従って、各地区の丁合い処理を行う（［００５９］の記載参照）。
【先行技術文献】
【特許文献】
【０００５】
【特許文献１】特開２００７−７００８７号公報（段落［００３９］〜［００４１］、［００５９］、［００７６］、［００７８］、［００７９］、図５）
【発明の概要】
【発明が解決しようとする課題】
【０００６】
しかしながら、上記背景技術では、作業グループそれぞれについて一旦順番欄をタッチして入力可能状態として、その後テンキーで数字等を入力しなければならないため手間がかかり、特に順番設定が必要な作業グループが多いほど、時間がかかって面倒であるという問題があった。
【０００７】
本発明の解決課題は、順番設定に、順番欄をタッチした後更にテンキーで数字を入力するという手間の必要のない順番設定手段を有する用紙処理装置の実現にある。
【課題を解決するための手段】
【０００８】
本発明は上記の課題を解決するために、以下の各構成を有する。
本発明の第１の構成は、給紙台に積載した用紙束から用紙を１枚ずつ取り出す給紙部を複数有し、各々の給紙部から取り出された用紙を搬送しながら互いに重ねてセットとする丁合装置であって、下記（イ）〜（ニ）の各手段を具備することを特徴とする丁合装置である。
（イ）作成する丁合束数がそれぞれ個別に設定可能な複数の作業グループの各々について、作成する丁合束数、複数の作業グループ間における処理順序を記憶する記憶部
（ロ）装置スタート信号受信とともに、設定された作業グループのうち、いずれか１つの作業グループから作業を開始し、該作業グループに設定された部数の丁合作業が終了すると、いったん装置を停止させ、その後装置スタート信号を再度受信することにより、別の作業グループの丁合作業を開始する処理を、設定された処理順序に従って進行させるようにする制御部
（ハ）表示器に並べて表示された複数の作業グループそれぞれの表示領域に含まれる所定領域を順次押下することにより、その押下順序が処理順序として設定される順序設定手段
（ニ）順序付けが全作業グループについてなされているか、一部の作業グループについてだけかにかかわらず一旦順序付けした作業グループのいずれかを指定し、任意の新たな順序を入力することによって、この指定した作業グループの順序を、入力した新たな順序に変更するとともに、入力した新たな順序が、既に他の作業グループに設定されていた順序と重複する場合は、既に設定されていた順序のうち、重複した順序を含めた一部の順序を変更して重複を避ける順序変更手段
【０００９】
本発明の第２の構成は、前記第１の構成において、順序変更手段は、入力した新たな順序が、変更前の順序よりも早い順序であった場合には、既に他の作業グループに設定されていた順序のうち、入力した新たな順序と重複した順序と、入力した新たな順序よりも遅く、かつ変更前の順序よりも早い順序に設定されていた作業グループの順序を、繰り下げることを特徴とする丁合装置である。
【００１０】
本発明の第３の構成は、前記第１または第２の構成において、順序変更手段は、入力した新たな順序が、変更前の順序よりも遅い順序であった場合には、既に他の作業グループに設定されていた順序のうち、入力した新たな順序と重複した順序と、入力した新たな順序よりも遅い順序に設定されていた作業グループの順序を、繰り下げることを特徴とする丁合装置である。
【００１１】
本発明の第４の構成は、前記第１ないし第３の構成のいずれか１つの構成において、順序設定手段により既に順序を設定済みの作業グループの少なくとも１つにおいて、前記順序変更手段により新たな順序に変更し、その新たな順序が、既に他の作業グループに設定されていた順序と重複しない場合には、変更後にさらに前記順序設定手段により、順序が未設定の作業グループそれぞれの所定領域を順次押下したとき、前記順序変更手段により設定した新たな順序を除いて、その押下順に処理順序が設定されることを特徴とする丁合装置である。
【００１２】
本発明の第５の構成は、前記第１ないし第４の構成のいずれか１つの構成において、表示器の作業グループごとの所定領域に、順序が設定されている表示と順序未設定の表示がある場合に、前記順序変更手段は、既に順序が設定されている作業グループの前記所定領域を押下することにより、変更を行う作業グループが設定されることを特徴とする丁合装置である。
【００１３】
本発明の第６の構成は、前記第１ないし第５の構成のいずれか１つの構成において、前記順序設定手段は、押下するごとにその所定領域に順序を示す順序表示が数字でなされるとともに、押下するごとに未表示の数字のうちの最も若い数字から順次表示されることを特徴とする丁合装置である。
【発明の効果】
【００１４】
本発明の第１ないし第３の構成では、それぞれの作業グループの表示領域の所定領域を順次押下することにより、その押下順序が処理順序として設定されるので、並べて表示されている複数グループの所定領域を、各グループにつき１回タッチするだけで、そのタッチした順に順序が設定される。
従って、順序設定操作が容易となり、要する時間も短縮することができるという効果がある。
【００１５】
本発明の第１ないし第３の構成ではさらに、いったんタッチ順に設定された順序設定を直すことができるとともに直した後の順序の重複を回避することができる。タッチ順序を誤った場合、すべてクリアしてタッチし直してもよいが、この第１ないし第３の構成によればすべてタッチし直すことなく、順序を誤った箇所だけを修正することができるという効果がある。
【００１６】
本発明の第６の構成では、所定領域に表示される数字は未表示の数字のうち最も若い数字から順次表示されるというのであるから、操作者にとって、押すことによって表示される数字の予測可能性があるという効果がある。
【図面の簡単な説明】
【００１９】
【図１】表示画面中の順番欄をタッチした順で各地区の処理順序が設定され表示されることの説明図である。
【図２】図１に同じである。
【図３】図１に同じである。
【図４】順番が設定された地区と設定されない地区がある場合の表示画面を示す図である。
【図５】各地区の順番を一旦設定した後で、いずれかの地区の順番をそれより早い順番に変更する場合の操作手順説明のための表示画面の図である。
【図６】図５に同じである。
【図７】図５に同じである。
【図８】図５に同じである。
【図９】各地区の順番を一旦設定した後で、いずれかの地区の順番をそれより遅い順番に変更する場合の操作手順説明のための表示画面の図である。
【図１０】図９に同じである。
【図１１】図９に同じである。
【図１２】図９に同じである。
【図１３】表示画面の１つのページ中の地区の順番数を他のページの順番数に変更する場合に、ページ移動が１回で済む操作手順説明のための表示画面の図である。
【図１４】図１３に同じである。
【図１５】図１３に同じである。
【図１６】図１３に同じである。
【図１７】図１３に同じである。
【図１８】図１３に同じである。
【図１９】用紙処理装置の一つである丁合装置の作業グループ別丁合を行わせる部分の構成を示すブロック図である。
【発明を実施するための形態】
【００２０】
本発明の用紙処理装置における各作業グループ間の処理順序を設定する実施形態は、用紙処理装置の各種表示を行う表示器の表示画面上に表示された、各作業グループに対応する地区番号に対応して順番表示エリアの各窓をタッチし、そのタッチの順序がそのまま処理順序にするか、タッチした後テンキーによって順序を表す数字を入力し、セット窓を押すことにより順序を変更設定するというものである。
【実施例１】
【００２１】
図１は、用紙処理装置の各種表示を行う表示器の表示画面である。左側第１列の縦欄は作業グループに対応する地区番号の欄である。２列目は各地区における処理部数の設定表示窓である。３列目は、各地区の処理をどういう順序で進めるかの順番を設定表示する窓である。中央より右側にある数字窓はテンキーで数字設定時にタッチする。
実施例１では、順番の空欄を指タッチした順に数字が表示される。即ち、１番最初にタッチした欄には１が表示され、２番目にタッチした欄には２が表示され、同様にｎ番目にタッチした欄には数字ｎが表示され、その数字が、その左方の地区番号で示される作業グループの処理を行う順位ということになる。図１では地区は８までしか表示されていないが、９〜１６は２ページ目、１７〜２４は３ページ目というように複数画面にわたって行うことができる。
【００２２】
図２は、順番を実際に設定した場合の表示画面例である。
４地区→６地区→７地区→２地区→５地区→１地区→８地区→３地区の順にタッチした結果、タッチした順序のとおりに順番欄に数字が入力される。
メイン画面に戻ってスタートを押すと、この順序のとおりに用紙処理が行われる。入力した順番を消去して入力を最初からやり直したい場合は、「順番一括クリア」にタッチする。すると、順番欄に入力されている数字はすべて消去され、図１の状態に戻り、改めて順番の入力を受け付ける。
【００２３】
図３は、２ページ目の設定例である。
ページ選択キーでページを移動すると、２ページ目に９〜１６地区、３ページ目に１７〜２４地区、４ページ目に２５〜３２地区が設定でき、これら複数ページ全体に対して同様に順序設定できる。例えば、１ページ目で順序１〜３を、３ページ目で順序４、５を、２ページ目で順序６〜８を、１ページ目に戻って順序９〜１２を、という具合に、ページをまたいですべての地区に対して自由に順序設定できる。
【実施例２】
【００２４】
実施例２は、本発明の第５の構成に対応する実施例である。
図４は、順番の欄に順番が設定されていない地区がある場合の表示画面例である。
この例は、順番の欄を４地区→６地区→２地区→７地区の順にタッチした例である。
この状態でメイン画面に戻りスタートを押すと、順番が設定されている地区を設定順に処理した後、順番が設定されていない地区を地区番号の降順に処理する。即ち、地区番号４→６→２→７→１→３→５→８の順番で処理する。
地区数が多くページが複数に渡っている場合でも、全ページを通して同様に処理される。
【実施例３】
【００２５】
実施例３は、本発明の第２の構成及び第３の構成に対応する実施例である。
図５は、処理の順番が一旦設定された状態の表示画面である。この状態から５地区の処理順序を５番目からそれより早い３番目に変更する場合について述べる。
最初に図５に示すように５地区欄をタッチする。そして図６のようにタッチ欄の色が変ったら、テンキーの３をタッチして図７のように３を表示させセットをタッチすると図８のように、５地区の順番が３になるとともに、３であった７地区の順番が４となり、４であった２地区の順番が５となり順序変更が完了する。
【００２６】
この例では、テンキーで設定した新たな順番が、変更前よりも小さな（順番が早くなる）数字である場合であって、新たに設定した順番が、既に他の地区に設定されていた順番と重複するので、既に設定されていた順番の一部を繰り下げて重複を避ける。
【００２７】
次に、５地区の順番５をそれより遅い順番７に変更する場合について述べる。
早めるときと同様に、５地区の順番欄をタッチし（図９）、色が変ったらテンキーの７をタッチし（図１０）、７が表示されたらセットをタッチする（図１１）と図１２のように５地区の順番は７となるとともに、図１１で順番が７であった８地区と、順番が８であった３地区の順番がそれぞれ８と９に替わり、５は欠番となり、順序変更が完了する。
【００２８】
この例は、テンキーで設定した新たな順番が、入力前よりも大きな数字である場合であって、新たに設定した順番が、既に他の地区に設定されていた数字と重複する場合、重複を避けるように、重複する順番以降の順番を繰り下げる。
その結果、変更前の順番が欠番になる。欠番がある場合、順番の数字の小さい順に処理することになる。
【実施例４】
【００２９】
実施例４は、本発明の第４の構成に対応する実施例である。
順番がタッチ順に入力されることとすると、次にタッチしたい地区が別のページにある場合、その地区を表示するために、ページを移動しなければならない。多くの地区にわたって複雑な設定を行う場合、このページ移動の回数が多くなるため、かえって設定作業が煩雑になる。
そこで、テンキーを併用することによって、現在表示されているページの順序を先に設定してから、次のページを設定する、ということが可能になっている。
【００３０】
図１３は、１ページ目の８つの地区の順番欄をタッチしてタッチ順に順序が設定されている画面に対し、２ページへ移る前に、１地区に設定された順番６を１１に変更しようとしてまず順番６をタッチした図である。
タッチにより図１４のように順番６の色が変わったら、テンキーで１１を入力する。そして図１５のようにセットをタッチすると、１地区の順番は図１６のように設定される。そして図１６のようにページ選択キーを押して２ページ目を表示させる（図１７）。そして、順番欄を地区の処理したい順にタッチする。そうすると、１ページの順番欄で欠番となった番号のうち最も若い番号から順に、次いで、９から１６のうち１ページで設定した番号を除いた番号のうち若い番号から順に設定される。
【００３１】
具体的には、１ページ（図１６）で欠番となった６から９以後で１１を除いた番号が設定されることになる。
即ち、図１８で見るなら順番欄は、
６→９→１０→１２→１３→１４→１５→１６の順でタッチされたことになる。
【実施例５】
【００３２】
実施例５は、本発明の第６の構成に対応する実施例である。
図１９は、用紙処理装置の一つである丁合装置の作業グループ別丁合を行わせる部分の構成を示すブロック図である。
部数設定手段１と順序設定手段２から、ｎ個の各作業グループに対応する第１メモリ部３−１〜第ｎメモリ部３−ｎへ、各作業グループで丁合すべき部数情報と、丁合作業が各グループ間でどのような順番で行っていくかの順序情報が送られて記憶されている。
各メモリ部に記憶された部数情報および順序情報は作業グループ選択器４へ送られる。
【００３３】
スタートスイッチがオンにされるとスタート信号が、丁合装置駆動器８と作業グループ選択器４と部数カウンタ６へそれぞれ送られる。
作業グループ選択器４では、各メモリ部から受け順序情報により部数情報を読み出すべきメモリ部を選択してこれを比較器５へ送る。丁合装置駆動器８はメインモータ９へ電力を供給し、丁合動作が開始される。同時にスタート信号を受けた部数カウンタ６は丁合されたセットの部数のカウントを開始し、カウント値は比較器５へ送られる。比較器５ではカウント値を作業グループ選択器４からの部数情報と比較し、カウント値が部数情報の部数値に達したときに停止信号を丁合装置駆動器８へ送り、丁合動作を停止させる。
これで１つの作業グループは予め設定された部数の丁合を行って停止することになる。
【００３４】
再びスタートスイッチをオンにすると、作業グループ選択器４は順序情報に従った次のメモリ部からの部数情報を選択して再び比較器５へ送る。同時に丁合動作も開始し、部数カウンタ６のカウントも開始される。そして、カウント数が作業グループ選択器４から送られて来ている部数情報の部数に達すると、比較器５は停止信号を出力し丁合動作は停止する。以後、スタートスイッチをオンにする毎に同様の動作が繰り返される。
以上の構成の機能のうち、順序設定手段２の順序設定および順序変更については、前述した実施例１〜実施例４が適用される。
【符号の説明】
【００３５】
１  部数設定手段
２  順序設定手段
３−１〜３−ｎ  第１メモリ部〜第ｎメモリ部
４  作業グループ選択器
５  比較器
６  部数カウンタ
７  スタートスイッチ
８  丁合装置駆動器
９  メインモータ
【図１】
0005493823.tif 000002
【図２】
0005493823.tif 000003
【図３】
0005493823.tif 000004
【図４】
0005493823.tif 000005
【図５】
0005493823.tif 000006
【図６】
0005493823.tif 000007
【図７】
0005493823.tif 000008
【図８】
0005493823.tif 000009
【図９】
0005493823.tif 000010
【図１０】
0005493823.tif 000011
【図１１】
0005493823.tif 000012
【図１２】
0005493823.tif 000013
【図１３】
0005493823.tif 000014
【図１４】
0005493823.tif 000015
【図１５】
0005493823.tif 000016
【図１６】
0005493823.tif 000017
【図１７】
0005493823.tif 000018
【図１８】
0005493823.tif 000019
【図１９】
0005493823.tif 000020